(57)【特許請求の範囲】
【請求項１】
通常再生時に表示される第１の再生画像データと、原画像データまたは上記第１の再生画像データに対して所定の処理を施して、通常再生時とは異なる表示態様で表示される第２の再生画像データとを生成する画像データ生成手段と、
上記第１の再生画像データと上記第２の再生画像データとを選択的に表示する表示手段と、
上記第２の再生画像データが上記表示手段に表示されているときに削除指示がなされると、上記表示手段に上記第１の再生画像データを表示し、上記原画像データを削除可能な状態にする制御を行う制御手段と
を備える画像信号処理装置。
【請求項２】
上記第２の再生画像データは、上記第１の再生画像データの一部を拡大して表示される画像データである請求項１に記載の画像信号処理装置。
【請求項３】
上記所定の処理は、上記第１の再生画像データの一部を切り出し、切り出した画像データに対して補間処理を行う処理である請求項１に記載の画像信号処理装置。
【請求項４】
上記削除可能な状態は、上記原画像データを削除するか否かを選択する選択表示が、上記第１の再生画像データと共に上記表示手段に表示される状態である請求項１に記載の画像信号処理装置。
【請求項５】
さらに、上記制御手段は、上記原画像データを削除しないときは、上記第１の再生画像データの表示を継続し、上記原画像データを削除したときは、上記第１の再生画像データと異なる再生画像データを上記表示手段に表示する、または表示する再生画像データが無い旨を上記表示手段に表示する制御を行う請求項１に記載の画像信号処理装置。
【請求項６】
通常再生時に表示される第１の再生画像データと、原画像データまたは上記第１の再生画像データに対して所定の処理を施して、通常再生時とは異なる表示態様で表示される第２の再生画像データとを生成する画像データ生成ステップと、
上記第２の再生画像データを表示する表示ステップと、
上記表示ステップにおいて上記第２の再生画像データが表示されているときに削除指示がなされると、上記第１の再生画像データを表示し、上記原画像データを削除可能な状態にする制御を行う制御ステップと
からなる画像信号処理方法。
【請求項７】
上記第２の再生画像データは、上記第１の再生画像データの一部を拡大して表示される画像データである請求項６に記載の画像信号処理方法。
【請求項８】
上記所定の処理は、上記第１の再生画像データの一部を切り出し、切り出した画像データに対して補間処理を行う処理である請求項６に記載の画像信号処理方法。
【請求項９】
上記削除可能な状態は、上記原画像データを削除するか否かを選択する選択表示が、上記第１の再生画像データと共に表示される状態である請求項６に記載の画像信号処理方法。
【請求項１０】
さらに、上記制御ステップは、上記原画像データを削除しないときは、上記第１の再生画像データの表示を継続し、上記原画像データを削除したときは、上記第１の再生画像データと異なる再生画像データを表示する、または表示する再生画像データが無い旨を表示する制御を行う請求項６に記載の画像信号処理方法。
【発明の詳細な説明】
【技術分野】
【０００１】
この発明は、画像信号処理装置および画像信号処理方法に関する。
【背景技術】
【０００２】
ディジタルカメラやディジタルビデオカメラ、カメラ機能付携帯電話等の撮像機能を有する機器には、ＬＣＤ（Liquid Crystal Display）や有機ＥＬ(Electro Luminescence)によって構成される表示部が備えられている。この表示部を使用して、例えば撮影時に被写体の構図を決定したり、撮影直後の画像データを表示することが行われる。また、近年では上述したような機器に対してリムーバブルなメモリを装着してメモリ内の画像データを読み出すことで、例えば過去に撮影された画像データや、他の機器によって撮影された画像データを表示することもできる。さらに、画像データを表示部に表示する際に、画像データの一部を拡大して再生することが提案されている。
【０００３】
下記特許文献１には、拡大再生モード時に拡大再生される領域を変更できるようにした電子スチルカメラが記載されている。
【０００４】
【特許文献１】特開２０００−２３２５９８号公報
【発明の開示】
【発明が解決しようとする課題】
【０００５】
ところで、画像データが記録される記録媒体の記録容量は有限であることから、記録媒体内の不要な画像データを適宜、削除することが行われる。例えば、記録媒体から画像データを読出し、拡大再生モードを使用して画像データを拡大再生し、拡大再生された画像データの細部を見て、ピントが合っているか等の確認をする。その上で画像データの保存の必要性を判断して、不要な画像データを削除する削除処理を実行する。
【０００６】
このような拡大再生モードにおいて画像データが拡大再生されている状態で削除キー等が操作されると、削除処理が実行され記録媒体内の該当する画像データが削除される。削除キー等を操作するだけで良いので、記録媒体内の画像データを簡単に削除できる。しかしながら、拡大再生される画像データは、原画像データの一部の領域を拡大して表示されているので、原画像データの内容を意識しないまま画像データを誤って削除してしまうおそれがある。これを避けるため、拡大再生モード時に画像データの削除操作を禁止してしまうと、一度原画像データを通常再生で表示し、続いて削除処理を行う必要があり、操作ステップが多くなってしまう。従って、不要な画像データを削除するのに手間取ってしまうおそれがあった。
【０００７】
したがって、この発明の目的は、例えば拡大再生モード時に削除指示がなされると通常再生画像が表示されて、該当する画像データを削除するか否かを選択できる画像信号処理装置および画像信号処理方法を提供することにある。
【課題を解決するための手段】
【０００８】
上述した課題を解決するために、この発明は、
通常再生時に表示される第１の再生画像データと、原画像データまたは第１の再生画像データに対して所定の処理を施して、通常再生時とは異なる表示態様で表示される第２の再生画像データとを生成する画像データ生成手段と、
第１の再生画像データと第２の再生画像データとを選択的に表示する表示手段と、
第２の再生画像データが表示手段に表示されているときに削除指示がなされると、表示手段に第１の再生画像データを表示し、原画像データを削除可能な状態にする制御を行う制御手段と
を備える画像信号処理装置である。
【０００９】
この発明は、
通常再生時に表示される第１の再生画像データと、原画像データまたは第１の再生画像データに対して所定の処理を施して、通常再生時とは異なる表示態様で表示される第２の再生画像データとを生成する画像データ生成ステップと、
第２の再生画像データを表示する表示ステップと、
表示ステップにおいて第２の再生画像データが表示されているときに削除指示がなされると、第１の再生画像データを表示し、原画像データを削除可能な状態にする制御を行う制御ステップと
からなる画像信号処理方法である。
【発明の効果】
【００１０】
この発明によれば、操作ステップを増やすことなく、例えば拡大再生モードにおいて画像データが拡大再生されているときでも、通常再生時の画像データの表示を確認したうえで削除操作を行うことができる。従って、画像データの誤消去を防ぐことができる。
【発明を実施するための最良の形態】
【００１１】
以下、図面を参照しながらこの発明の一実施の形態について説明する。この一実施の形態では、この発明を撮像装置に適用した例を用いて説明する。
【００１２】
図１は、この発明の一実施の形態における撮像装置１０１の構成の一例を示す。撮像装置１０１は、大きく分けると、カメラ部１と、カメラＤＳＰ（Digital Signal Processor）２と、ＳＤＲＡＭ（Synchronous Dynamic Random Access Memory）３と、媒体インターフェース（以下、適宜、媒体Ｉ／Ｆと称する）４と、制御手段の一例である制御部５と、操作部６と、ＬＣＤコントローラ７と、表示手段の一例であるＬＣＤ８と、外部インターフェース（以下、適宜、外部Ｉ／Ｆと称する）９とを備えると共に、記録媒体１０が着脱可能とされている。
【００１３】
記録媒体１０は、半導体メモリを用いたいわゆるメモリーカード、記録可能なＤＶＤ（Digital Versatile Disc）や記録可能なＣＤ（Compact Disc）等の光記録媒体、磁気ディスクなどの種々のものを用いることができる。この記録媒体１０には、例えばＥｘｉｆ(Exchange image file format)と称される画像ファイルフォーマットに準拠し、ＪＰＥＧ(Joint Photographic Coding Expert Group)方式で圧縮符号化された複数の画像データが、ＤＣＦ(Design rule Camera File system)規定に従って記録されている。
【００１４】
各部の構成をより詳細に説明する。カメラ部１は、図１に示すように、光学ブロック１１、撮像素子の一例であるＣＣＤ（Charge Coupled Device）１２、前処理回路１３、光学ブロック用ドライバ１４、ＣＣＤ用ドライバ１５、タイミング生成回路１６とを備えたものである。ここで、光学ブロック１１は、レンズ、フォーカス機構、シャッター機構、絞り（アイリス）機構などを備えたものである。撮像素子にはＣＣＤではなく、ＣＭＯＳ（Complementary Metal Oxide Semiconductor）センサを用いることもできる。
【００１５】
また、制御部５は、ＣＰＵ（Central Processing Unit）５１、ＲＡＭ（Random Access Memory）５２、フラッシュＲＯＭ（Read Only Memory）５３、時計回路５４が、システムバス５５を通じて接続されて構成されたマイクロコンピュータであり、制御部５が撮像装置１０１の各部を制御する。
【００１６】
ここで、ＲＡＭ５２は、ＣＰＵ５１がプログラムを実行する際の作業領域や、処理の途中結果を一時的に記憶するなどの作業領域として使用される。また、フラッシュＲＯＭ５３は、ＣＰＵ５１において実行する種々のプログラムや、各処理に必要とされるデータなどが記憶されたものである。また、時計回路５４は、現在年月日、現在曜日、現在時刻や撮影日時などを提供することができるものである。
【００１７】
画像の撮影時においては、光学ブロック用ドライバ１４は、制御部５からの制御に応じて、光学ブロック１１に対する駆動信号を形成し、これを光学ブロック１１に供給して、光学ブロック１１を動作させる。光学ブロック１１は、ドライバ１４からの駆動信号に応じて、フォーカス機構、シャッター機構、絞り機構が制御され、被写体の画像を取り込んで、これをＣＣＤ１２に対して供給する。
【００１８】
ＣＣＤ１２は、光学ブロック１１からの画像を光電変換して出力するものであり、ＣＣＤドライバ１５からの駆動信号に応じて動作し、光学ブロック１１からの被写体の画像を取り込む。そして、制御部５によって制御されるタイミング生成回路１６からのタイミング信号に基づいて、取り込んだ被写体の画像（画像情報）を電気信号として前処理回路１３に供給する。
【００１９】
なお、タイミング生成回路１６は、制御部５からの制御に応じて、所定のタイミングを供給するタイミング信号を形成するものである。また、ＣＣＤドライバ１５は、タイミング生成回路１６からのタイミング信号に基づいて、ＣＣＤ１２に供給する駆動信号を形成するものである。
【００２０】
前処理回路１３は、これに供給された電気信号の画像情報に対して、ＣＤＳ（Correlated Double Sampling）処理を行って、リセットノイズ、１／ｆ雑音、熱抵抗雑音等を除去することでＳ／Ｎ比を良好に保つようにするとともに、ＡＧＣ（Automatic Gain Control）処理を行って、利得を制御する。そして、Ａ／Ｄ（Analog/Digital）変換を行って、ディジタル信号とされた画像データを形成する。
【００２１】
前処理回路１３からのディジタル信号とされた画像データは、ＤＳＰ２に供給される。ＤＳＰ２は、ディジタル信号処理部２１、圧縮／伸張部２２、画像データ生成手段の一例である解像度変換／補間部２３、ＳＤＲＡＭ３に対する制御を行うＳＤＲＡＭコントローラ２４を含む。ディジタル信号処理部２１は、ＤＳＰ２に供給された画像データに対して、ＡＦ（Auto Focus）、ＡＥ（Auto Exposure）、ＡＷＢ（Auto White Balance）などのカメラ信号処理を施す。このようにして種々の調整がされた画像データは、圧縮／伸張部２２において例えばＪＰＥＧ方式によって圧縮符号化され、システムバス５５、媒体Ｉ／Ｆ４を通じて、撮像装置１０１に装着された記録媒体１０に供給され、記録される。
【００２２】
また、記録媒体１０に記録された画像データは、タッチパネルやコントロールキーなどからなる操作部６を通じて受け付けたユーザからの操作入力に応じて、目的とする画像データが媒体Ｉ／Ｆ４を通じて記録媒体１０から読み出され、これがＤＳＰ２に供給される。
【００２３】
ＤＳＰ２の圧縮／伸張部２２では、記録媒体１０から読み出され、媒体Ｉ／Ｆ４を通じて供給された圧縮されている画像データに対して伸張処理が行われ、必要に応じて解像度変換／補間部２３において解像度変換が行われて画像データが生成される。生成された再生画像データをシステムバス５５を通じて、ＬＣＤコントローラ７に供給する。ＬＣＤコントローラ７は、供給された画像データに応じてＬＣＤドライブ回路を駆動する。これにより、記録媒体１０に記録されている画像データに基づく画像がＬＣＤ８に表示される。
【００２４】
なお、画像の表示の形態は、ＲＯＭに記録された表示処理プログラムに従う。つまり、この表示処理プログラムはファイルシステムがどのような仕組みで記録されているのか、どのように画像を再生するのかというプログラムである。
【００２５】
また、この一実施の形態における撮像装置１０１には、外部Ｉ／Ｆ９が設けられている。この外部Ｉ／Ｆ９を通じて、例えば外部のパーソナルコンピュータと接続して、パーソナルコンピュータから画像データの供給を受けて、これを装着された記録媒体１０に記録したり、また、装着された記録媒体１０に記録されている画像データを外部のパーソナルコンピュータ等に供給したりすることもできる。
【００２６】
また、外部Ｉ／Ｆ９に通信モジュールを接続することにより、例えば、インターネットなどのネットワークに接続して、ネットワークを通じて種々の画像データやその他の情報を取得し、記録媒体１０に記録したり、あるいは、記録媒体１０に記録されている画像データを、ネットワークを通じて目的とする相手先に送信したりすることもできる。
【００２７】
また、外部のパーソナルコンピュータやネットワークを通じて取得し、記録媒体１０に記録した画像データなどの情報についても、撮像装置１０１において読み出して再生し、ＬＣＤ８に表示してユーザが利用することも可能とされている。
【００２８】
なお、外部Ｉ／Ｆ９は、ＩＥＥＥ（Institute of Electrical and Electronics Engineers）１３９４、ＵＳＢ（Universal Serial Bus）などの有線インターフェースとして設けることも可能であるし、光や電波による無線インターフェースとして設けることも可能である。すなわち、外部Ｉ／Ｆ９は、有線、無線のいずれのインターフェースであってもよい。
【００２９】
このように、この一実施の形態における撮像装置１０１は、被写体の画像を撮影して、撮像装置１０１に装着された記録媒体１０に記録することができるとともに、記録媒体１０に記録された画像データを読み出して、これを再生し、利用することができる。また、外部のパーソナルコンピュータやネットワークを通じて、画像データの提供を受けて、これを記録媒体１０に記録したり、また、読み出して再生したりすることもできる。
【００３０】
図２は、この一実施の形態における撮像装置１０１の筐体の背面に配設される操作部６およびＬＣＤ８の一例を示す。撮像装置１０１の筐体の背面には、ＬＣＤ８が設けられ、ＬＣＤ８の近傍には複数のキーからなる操作部６が設けられる。操作部６は、ズームキー６１、ＬＣＤ８の表示をオン／オフする画面キー６２、ＬＣＤ８にメニュー画面を表示するメニューキー６３を含む。また、操作部６は、方向キー６４ａ〜６４ｄ、方向のキー６４ａ〜６４ｄの中央に位置する決定キー６５、削除処理を行う削除キー６６を含む。図２に示した操作部６は一例であり、キーの位置や種類はこの例に限定されない。また、ＬＣＤ８をタッチパネルとして構成し、ＬＣＤ８の所定の位置を触れることで各種動作の実行指示を行うこともできる。
【００３１】
次に、撮像装置１０１において、記録媒体１０に記録されている画像データをＬＣＤ８に表示する処理についてさらに説明する。
【００３２】
この一実施の形態では、リムーバブルな記録媒体１０に記録されている、または撮像装置に内蔵される不揮発性メモリ等に記憶されている画像データを原画像データと称する。また、撮像装置に備えられる表示部に表示するために原画像データに対して必要に応じて解像度変換が施されて生成された第１の再生画像データを再生画像データと称する。そして、この再生画像データをＬＣＤ８に表示するモードを通常再生モードと称する。再生画像データが表示されると、ユーザはＬＣＤ８を介して画像内容の全容を確認できる。
【００３３】
なお、再生画像データは、表示部の表示領域に適合するために原画像データに対して解像度変換処理を行ったものであって、画像サイズのみが異なり画像内容は同一である。従って、表示される再生画像データを視認しながら削除処理を行なわれ記録媒体１０内の原画像データが削除されても、ユーザの意図しない削除処理が行われるおそれを少なくできる。
【００３４】
また、通常再生モード時に表示される再生画像データの表示態様と異なる表示態様で表示される画像データが第２の再生画像データである。第２の再生画像データは、原画像データまたは再生画像データに対して所定の処理を行うことで生成される。この一実施の形態では、第２の再生画像データを、上述した再生画像データの一部が拡大されて表示される画像データとし、拡大画像データと称する。そして、この拡大画像データをＬＣＤ８に表示するモードを拡大再生モードと称する。
【００３５】
図３は、原画像データを使用して再生画像データおよび拡大画像データを生成する処理を模式的に示す。操作部６が操作され、通常再生モードが指示されると、ＣＰＵ５１は記録媒体１０からＪＰＥＧ形式で圧縮されている原画像データＰＤ１を読み出して、一旦ＲＡＭ５２に記憶する。原画像データＰＤ１は、ＤＳＰ２に供給され、ＤＳＰ２内の圧縮／伸張部２２によって伸張処理が行われ、伸張された原画像データＰＤ２はＲＡＭ５２の所定のエリアに記憶される。
【００３６】
原画像データＰＤ２はＤＳＰ２に供給され、ＤＳＰ２内の解像度変換／補間部２３によって解像度変換処理が行われ、等倍処理（拡大率が１倍を意味する）がされて、再生画像データＰＤ３が生成される。原画像データＰＤ２は、ファイルによって画像サイズが異なるため、解像度変換／補間部２３はＬＣＤ８の表示領域に適合するように原画像データＰＤ２に対して解像度変換処理を行うことで画像サイズを変換する。例えばＶＧＡ（水平方向６４０画素、垂直方向４８０画素）サイズやＱＶＧＡ（水平方向３２０画素、垂直方向２４０画素）サイズの再生画像データＰＤ３を生成する。原画像データＰＤ２の画像サイズとＬＣＤ８の表示領域が等しければ解像度変換処理は行われない。
【００３７】
再生画像データ（例えばＶＧＡデータ）ＰＤ３は、ＲＡＭ５２の所定のエリアに記憶される。そしてＣＰＵ５１は、ＲＡＭ５２に記憶された再生画像データＰＤ３を読み出してＬＣＤコントローラ７に供給する。ＬＣＤコントローラ７は供給された再生画像データＰＤ３に応じてＬＣＤドライブ回路を駆動してＬＣＤ８に再生画像データＰＤ３を表示する。このようにして、通常再生モードにおける表示処理が行われる。
【００３８】
拡大再生モードでは以下のような処理が行われる。再生画像データＰＤ３が表示されている状態で拡大再生モードが指示されると、表示されている再生画像データＰＤ３の拡大すべき領域の指定と、拡大率の設定がなされる。例えばズームキー６１の操作によって拡大率が設定される。再生画像データＰＤ３の切り出される領域の大きさは、一例として９分割した各領域である。領域の指定は、ＬＣＤ８に表示される再生画像データＰＤ３を見ながら方向キー６４ａ〜６４ｄおよび決定キー６５を使用して任意に指定することができる。
【００３９】
ＣＰＵ５１は、ＲＡＭ５２に記憶されている伸張された原画像データＰＤ２を読出し、原画像データＰＤ２をＤＳＰ２の解像度変換／補間部２３に供給する。そして解像度変換／補間部２３は、原画像データＰＤ２から再生画像データＰＤ３を生成する。この再生画像データＰＤ３の指定された領域を切り出してＣＰＵ５１によって設定された拡大率でもって画像を拡大し、ＬＣＤ８の表示領域に適合するように補間処理を行って拡大画像データＰＤ４を生成する。ＣＰＵ５１は、ＲＡＭ５２に記憶された拡大画像データＰＤ４を読出してＬＣＤコントローラ７に供給する。
【００４０】
ＬＣＤコントローラ７は、供給された拡大画像データＰＤ４に応じてＬＣＤドライブ回路を駆動して、拡大画像データＰＤ４をＬＣＤ８に表示する。このようにして、拡大再生モードにおける拡大表示が行われる。なお、ＲＡＭ５２に再生画像データＰＤ３を保持し、拡大再生モードの処理時にその都度再生画像データＰＤ３を生成せずに、保持されている再生画像データＰＤ３を使用して、拡大率に応じた拡大画像データＰＤ４を生成するようにしても良い。このように、ＬＣＤ８にはそれぞれのモードに応じて、再生画像データＰＤ３と拡大画像データＰＤ４とが選択的に表示される。
【００４１】
続いて、拡大再生モードが実行されているときに、記録媒体１０に記録されている原画像データの削除処理について、図４を参照して説明する。図４の（ａ）の状態では、ＬＣＤ８には拡大再生モードにおいて「Ａ」という文字が拡大表示されている。
【００４２】
この状態で、撮像装置１０１に設けられる削除キー６６が押下され削除指示がなされると、図４の（ｂ）に示すようにＬＣＤ８には、拡大表示に代えて拡大率が等倍の再生画像データ「Ａ」が表示される。また、ＬＣＤ８には併せて削除メニュー７１が表示される。
【００４３】
このように削除キー６６を押すと、削除処理が実行される前に、拡大率が等倍の再生画像データが表示されるため、画像内容の全容を確認した上で、本当に原画像データを削除するか否かを決めることができる。削除メニュー７１に対しては、例えば方向キー６４ａおよび方向キー６４ｄを使用して「削除」または「終了」を選択し、決定キー６５を押下することで実行する処理を決定する。また、ＬＣＤ８がタッチパネルとして構成されているときは、表示される削除メニュー７１を触れることで「削除」または「終了」を決定しても良い。
【００４４】
図４における（ｂ）の状態で削除メニュー７１の「削除」が選択され決定されると、ＬＣＤ８の表示は図４における（ｃ）の状態に遷移する。（ｃ）の状態では、例えば「アクセス中」や「削除中」等の文字情報が表示される。この状態では、ＣＰＵ５１は例えばファイル名等を参照して、媒体Ｉ／Ｆ４を介して記録媒体１０に記録されている原画像データにアクセスし、原画像データを削除する処理が行われる。このとき、ＲＡＭ５２に記憶されている圧縮されている原画像データ、伸張処理がされた原画像データ、再生画像データが同時に削除されるようにしても良い。
【００４５】
削除処理が終了した後は、記録媒体１０に記録されている次の原画像データを読み出す。そして上述した処理と同様にして再生画像データを生成し、ＬＣＤ８に表示する。図４（ｄ）の状態では、一例として、拡大率が等倍の「Ｂ」の文字が表示されている。若し記録媒体１０に次の原画像データが存在しないときは、ＬＣＤ８に表示する画像が無い旨を表示しても良い。
【００４６】
図４における（ｂ）の状態で、削除メニュー７１の「終了」が選択されると削除処理が行われずに、ＬＣＤ８の表示は（ｅ）の状態に遷移する。ＬＣＤ８が（ｅ）の状態では、削除メニューが消え、拡大率が等倍の「Ａ」の文字の表示が継続する。このとき、通常再生モード「Ａ」の文字ではなく、拡大再生モードにおける「Ａ」の表示を行うようにしても良い。
【００４７】
図５は、この発明の一実施の形態における削除処理のための表示動作の流れを示すフローチャートである。以下、説明する処理は、例えばＣＰＵ５１により実現される。ステップＳ１において削除処理を行うために削除キー６６が押下されると削除処理が開始される。削除処理が開始されると処理がステップＳ２に進む。
【００４８】
ステップＳ２では、ＬＣＤ８に表示されている画像が拡大再生状態であるか否かが判別される。この判別は、例えばＣＰＵ５１が制御している動作モードの情報から通常再生モードか拡大再生モードであるかを判別することにより行われる。拡大再生モードでなく通常再生モードの場合は、処理がステップＳ４に進む。拡大再生モードであるときは処理がステップＳ３に進む。
【００４９】
ステップＳ３では、拡大再生をオフする処理が行われる。このステップＳ３では、ＬＣＤ８に表示する再生画像データを生成する処理が行われる。ＣＰＵ５１は、伸張処理がされＲＡＭ５２に記憶されている原画像データを読み出して、ＤＳＰ２の解像度変換／補間部２３に供給し再生画像データを生成する。生成された再生画像データは、ＲＡＭ５２に記憶される。
【００５０】
続いて、処理がステップＳ４に進む。ステップＳ４では、選択表示である削除メニューを生成する処理が行われる。削除キー６６が押されること生成された削除指示信号が供給されることで、ＣＰＵ５１はＬＣＤ８に表示するための削除メニューを生成する。
【００５１】
続いて、処理がステップＳ５に進む。ステップＳ５では、ステップＳ３において生成された再生画像データと、ステップＳ４において生成された削除メニューとが重畳されてＬＣＤ８に表示され、処理が終了する。
【００５２】
なお、ステップＳ３とステップＳ４の順序を逆にしても良い。しがしながら、通常再生モードの再生画像データを生成する処理は、削除メニューを生成する処理よりも時間がかかるため、再生画像データを生成する処理の間、削除メニューを保持する必要がある。従って、上述したように再生画像データを生成してから削除メニューを生成する方が望ましい。
【００５３】
以上、この発明の一実施の形態について具体的に説明したが、この発明は、上述した一実施の形態に限定されるものではなく、この発明の技術的思想に基づく各種の変形が可能である。上述した一実施の形態においては、記録媒体から読み出した原画像データを一旦、ＲＡＭ５２に記憶したが、原画像データを直接ＤＳＰ２に供給して処理するようにしても良い。また、ＤＳＰ２では、伸張処理と解像度変換処理を同時に行うようにしても良い。また、圧縮形式はＪＰＥＧに限らず、ウェーブレット変換を使用したＪＰＥＧ２０００等でも良い。
【００５４】
この発明は、ディジタルビデオカメラやディジタルスチルカメラ等の撮像装置や撮像機能を有する携帯電話機やＰＤＡ（Personal Digital Assistants）はもとより撮像機能を有しない画像ビューアなどと称される画像閲覧装置に対しても適用することができる。
【００５５】
上述した一実施の形態では、第２の再生画像データの一例として拡大画像データを用いて説明したが、他の画像データに対してもこの発明を適用できる。例えば、第２の再生画像データとして、再生画像データを縮小した縮小画像データ、再生画像データを適当な角度で回転した回転画像データ、再生画像データの一部を変形した変形画像データ、再生画像データの階調や色調が補正された画像データ、再生画像データの輪郭が抽出された画像データなどを使用しても良い。画像データ生成手段では、それぞれの第２の再生画像データを生成するための処理が実行される。
【００５６】
また、圧縮されている原画像データを使用して直接、解像度変換処理を行うようにしても良い。例えば、原画像データがＪＰＥＧ形式で圧縮符号化されているときは、ＪＰＥＧで使用される直交変換であるＤＣＴ(Discrete Cosine Transform)のＤＣＴ係数に零値を付加し、または低域側のＤＣＴ係数を選択した後に逆ＤＣＴを行い、必要に応じて輝度補正することで解像度変換処理を行うこともできる。
【００５７】
また、この発明における画像信号処理装置を構成する各手段を、専用のハードウェア回路によって構成できるし、プログラムされたコンピュータによって実現することもできる。また、この発明における画像信号処理方法は、コンピュータを動作させるソフトウェア（プログラム）によっても、専用のハードウェア回路によっても実現できる。さらに、処理内容を記述したプログラムは、磁気記録装置、光ディスク、光磁気ディスク、半導体メモリ等のコンピュータが読み取り可能な記録媒体に記録しておくことができる。
【図面の簡単な説明】
【００５８】
【図１】この発明の一実施の形態における撮像装置の構成を示すブロック図である。
【図２】この発明の一実施の形態における撮像装置の筐体の一側面の構成を示す略線図である。
【図３】この発明の一実施の形態における再生画像データと、拡大画像データの生成処理を説明するための略線図である。
【図４】この発明の一実施の形態における削除処理に伴うＬＣＤの表示態様を説明するための略線図である。
【図５】この発明の一実施の形態における削除処理が実行されるときの処理の流れを示すフローチャートである。
【符号の説明】
【００５９】
１          カメラ部
２          カメラＤＳＰ
５          制御部
６          操作部
８          ＬＣＤ
１０        記録媒体
２２        圧縮／伸張部
２３        解像度変換／補間部
５１        ＣＰＵ
５２        ＲＡＭ
６６        削除キー
１０１      撮像装置
【図１】
0004747746.tif 000002
【図２】
0004747746.tif 000003
【図３】
0004747746.tif 000004
【図４】
0004747746.tif 000005
【図５】
0004747746.tif 000006